(57)【要約】【課題】  ＣＡＤデータの変換のコストを抑えることができ、膨大なデータに係る人手を最小限に抑え、変換の効率化が図られ、また、精度の高い変換が可能となるＣＡＤデータ自動変換システムを提供することにある。【解決手段】  所定形式の変換元のＣＡＤデータを他の形式のＣＡＤデータに変換する変換手段と、変換の諸元を定める変換諸元データと、変換内容を示して変換を変換手段に依頼する変換依頼データを、受信する受信手段とを備え、変換手段を備えない端末から変換内容を示す変換依頼データを受信したとき、変換手段が依頼内容に応じて該当する変換諸元データを基に、変換元のＣＡＤデータを他の形式のＣＡＤデータに変換することを特徴とする。【選択図】図１
2005316741.tif 000002
【特許請求の範囲】
【請求項１】
所定形式の変換元のＣＡＤデータを他の形式のＣＡＤデータに変換する変換手段と、
変換の諸元を定める変換諸元データと、
変換内容を示して変換を該変換手段に依頼する変換依頼データを受信する受信手段とを備え、
変換内容を示す該変換依頼データを、該変換手段を備えない端末から受信したとき、該変換手段が該依頼内容に応じて該当する該変換諸元データを基に、該変換元のＣＡＤデータを該他の形式のＣＡＤデータに変換することを特徴とするＣＡＤデータ自動変換システム。
【請求項２】
前記変換諸元データを複数備え、前記変換依頼データの依頼内容により、最適な該変換諸元データを用いることを特徴とする請求項１記載のＣＡＤデータ自動変換システム。
【請求項３】
前記変換手段が、変換の結果やエラー情報等の変換履歴を示すログデータを作成することを特徴とする請求項１又は請求項２記載のＣＡＤデータ自動変換システム。
【請求項４】
前記変換依頼データが、テキスト形式であることを特徴とする請求項１〜請求項３のいずれかに記載のＣＡＤデータ自動変換システム。
【発明の詳細な説明】
【技術分野】
【０００１】
本発明は、変換元のＣＡＤデータを他の形式のＣＡＤデータに変換するＣＡＤデータ自動変換システムに関する。
【背景技術】
【０００２】
従来より、変換元のＣＡＤデータを他の形式のＣＡＤデータに変換するＣＡＤデータ変換ソフトが各種存在し、ＣＡＤ装置間でのデータの交換が行えるようになっている。従来のＣＡＤデータ変換ソフトは、１台のコンピュータに納められており、そのコンピュータに変換元のＣＡＤデータを格納し、キーボード等で変換条件等の変換諸元を、変換を行うごとに入力し、変換を行っている。また、変換のエラー及びその対処については、オペレータの判断で変換諸元を微調整しながら変換を行っている。
尚、この先行技術は、文献公知に係るものでないため、記載すべき先行技術文献情報はない。
【発明の開示】
【発明が解決しようとする課題】
【０００３】
しかしながら、従来のＣＡＤデータの変換は、変換を行いたい端末のすべてにＣＡＤデータ変換ソフトを備える必要があり、ライセンス・コスト等の変換に係るコストを抑えることが困難であった。また、変換のエラーの対処については、オペレータが変換諸元を微調整しながら変換を行うため、変換の作業は非常に煩雑である。
【０００４】
本発明は、このような事情に鑑みてなされたもので、ＣＡＤデータの変換のコストを抑えることができ、膨大なデータに係る人手を最小限に抑え、変換の効率化が図られ、また、精度の高い変換が可能となるＣＡＤデータ自動変換システムを提供することにある。
【課題を解決するための手段】
【０００５】
請求項１記載の自動ＣＡＤデータ変換システムは、所定形式の変換元のＣＡＤデータを他の形式のＣＡＤデータに変換する変換手段と、変換の諸元を定める変換諸元データと、変換内容を示して変換を変換手段に依頼する変換依頼データを、受信する受信手段とを備え、変換手段を備えない端末から変換内容を示す変換依頼データを受信したとき、変換手段が依頼内容に応じて該当する変換諸元データを基に、変換元のＣＡＤデータを他の形式のＣＡＤデータに変換することを特徴とする。
尚、ＣＡＤデータとは、ＣＡＤ（Computer Aided Design）に係るデータの他、ＣＡＭ（Computer Aided Manufacturing）、ＣＡＥ（Computer Aided Engineering）、ＣＡＴ（Computer Aided Testing）等のＣＡＤに関連するデータを含むものである。
【０００６】
請求項２記載の自動ＣＡＤデータ変換システムは、変換諸元データを複数備え、変換依頼データの依頼内容により、最適な変換諸元データを用いることを特徴とする。
【０００７】
請求項３記載の自動ＣＡＤデータ変換システムは、変換手段が、変換の結果やエラー情報等の変換履歴を示すログデータを作成することを特徴とする。
【０００８】
請求項４記載の自動ＣＡＤデータ変換システムは、変換依頼データが、テキスト形式であることを特徴とする。
【発明の効果】
【０００９】
請求項１の発明によれば、変換内容を示す変換依頼データを、変換手段を備えない端末から受信したときＣＡＤデータを自動的に変換するものであり、変換を依頼する側の端末毎に変換手段を備える必要がなく、ＣＡＤデータ変換のコストを抑えることができる。
また、変換の諸元を定める変換諸元データと変換内容を示す変換依頼データとにより変換が行われることから、ほぼ無人で自動的に変換が可能で、ＣＡＤデータのような膨大なデータに係る人手を最小限に抑え、変換の効率化が図られる。
【００１０】
請求項２の発明によれば、変換諸元データを複数備え、変換依頼データの依頼内容により、最適な変換諸元データを用いることで、精度の高い変換が可能となる。
【００１１】
請求項３の発明によれば、変換手段が変換履歴を示すログデータを作成することで、複数の端末からの変換依頼の集中管理ができ、エラー情報等の変換ノウハウの蓄積が可能で、またその変換ノウハウを変換諸元データに反映させることで、より精度の高い変換が可能となる。
【００１２】
請求項４の発明によれば、変換依頼データがテキスト形式であることから、書式が平易で、端末のＯＳの違いやハードウェアの違いを意識することなく、安易にＣＡＤデータの変換を依頼できる。
【発明を実施するための最良の形態】
【００１３】
以下、本発明の形態について図面を参照しながら具体的に説明する。本発明の形態におけるＣＡＤデータ自動変換システムは、変換元のＣＡＤデータを他の形式のＣＡＤデータに自動的に変換するものである。
【００１４】
図１は、本発明に係るＣＡＤデータ自動変換システムの実施例の構成を示す構成図である。図２は、同ＣＡＤデータ自動変換システムの動作を示すフローチャートである。
【００１５】
図において、ＣＡＤデータ自動変換システム１は、変換元のＣＡＤデータである変換元ＣＡＤデータ１５を、変換後のＣＡＤデータである変換後ＣＡＤデータ１６に自動的に変換するためのものであり、変換手段である変換端末３による。また、変換端末３は、クライアント端末１０〜１２から送られてくる変換依頼データである変換依頼ファイル１０ａ〜１２ａを受信する受信手段を備えている（図示せず）。変換端末３は、コンピュータであり、ＣＡＤデータの変換が可能なものであれば、種類、能力等により制限されるものではない。また、ＣＡＤデータの変換ができる限りにおいては必ずしもコンピュータである必要はない。
【００１６】
変換端末３とクライアント端末１０〜１２とを接続する手段は、例えば、ＬＡＮのような構内型ネットワークでもいいし、インターネットのような広域型のネットワークでもよい。また、ネットワークなオンライン的な接続に限定されるものではなく、各種ディスクのようなオフライン媒体によってもよい。このように、変換依頼ファイル１０ａ〜１２ａをクライアント端末１０〜１２から変換端末３に送る手段による制限はない。尚、ここで、ＣＡＤデータとは、ＣＡＤ（Computer Aided Design）に係るデータの他、ＣＡＭ（Computer
Aided Manufacturing）、ＣＡＥ（Computer Aided
Engineering）、ＣＡＴ（Computer Aided Testing）等のＣＡＤに関連するデータを含むものである。
【００１７】
また、ＣＡＤデータ自動変換システム１で扱うファイルとしては、ＣＡＤデータの変換を依頼してくるクライアント端末１０〜１２の変換依頼ファイル１０ａ〜１２ａがある。この変換依頼ファイル１０ａ〜１２ａは、変換内容を示すと共に、変換端末３に対して変換を依頼するためのものである。尚、変換の内容を示して変換を変換端末３に指示できるデータであれば、ファイルの形式により制限されるものではない。すなわち、電子メールの本文等で変換の内容を示していてもよい。また、必ずしも変換を依頼する旨の内容が変換依頼ファイル１０ａ〜１２ａの内容に含まれている必要はない。ファイル名やファイルの拡張子等で、変換依頼データであることが明確となり、実質的に変換手段３が変換を依頼できるものであればよい。但し、変換依頼ファイル１０ａ〜１２ａの作成のしやすさやクライアント端末１０〜１２の種類に依存しないこと等を考慮すると、テキスト形式のデータがもっとも望ましい。すなわち、変換依頼ファイル１０ａ〜１２ａがテキスト形式であることから、書式が平易で、端末のＯＳの違いやハードウェアの違いを意識することなく、安易にＣＡＤデータの変換を依頼できる。尚、クライアント端末１０〜１２は、変換依頼ファイル１０ａ〜１２ａを扱え、変換依頼ファイル１０ａ〜１２ａを変換端末３に送ることができれば、必ずしもコンピュータである必要はない。
【００１８】
他のＣＡＤデータ自動変換システム１で扱うファイルとしては、変換の諸元を定める変換諸元データであるＩＮＩファイル２０がある。ＩＮＩファイル２０は、ＣＡＤデータの変換にあたり、変換端末３が参照するデータであり、変換端末３は少なくとも１つのＩＮＩファイル２０を備えている。ＩＮＩファイル２０では、変換の諸元として、変換方法、変換ルール等が定められている。尚、他の端末からＩＮＩファイル２０移したら、変換端末３の内部で新たなＩＮＩファイル２０を生成してもよい。
【００１９】
また、変換端末３から出力されるデータとしては、変換の結果やエラー情報等の変換履歴を示すログデータであるログファイル２１がある。このログファイル２１を蓄積、表示等するのが監視端末５である。監視端末５は、ログファイル２１やＩＮＩファイル２０を扱えれば、必ずしもコンピュータである必要はない。
【００２０】
次に、ＣＡＤデータ自動変換システム１の動作を説明する。尚、以後の説明において、括弧内の符号は図２のフローチャートの符号に対応している。あらかじめ変換を希望する変換元ＣＡＤデータ１５が、変換端末３に保存されている状態で、変換が必要になったクライアントが、例えばクライアント端末１０を用いて変換依頼ファイル１０ａを作成する。そして、クライアント端末１０は、変換依頼ファイル１０ａを変換端末３に送信する。
【００２１】
変換端末３では、常時クライアント端末１０〜１２から変換依頼ファイル１０ａ〜１２ａが送られてくるか否かを監視している（Ｓ１０１）。そして、この例の様に変換依頼ファイル１０ａが送られてくると、変換端末３は、自動で変換の処理に移行する（Ｓ１０１−Ｙｅｓ）。まず、変換端末３は、送られてきた変換依頼ファイル１０ａの依頼内容を解析し（Ｓ１０２）、指定されたＩＮＩファイル２０を使えるようにする（Ｓ１０３）。次に、変換元ＣＡＤデータ１５を取得する（Ｓ１０４）。そして、変換端末３は、指定されたＩＮＩファイル２０を元に、変換元ＣＡＤデータ１５を変換依頼ファイル１０ａの依頼に即して変換していく（Ｓ１０５）。変換が終了すると、変換後ＣＡＤデータ１６とログファイル２１が生成される。
【００２２】
以上のように、ＣＡＤデータ自動変換システム１は、変換内容を示す変換依頼ファイル１０ａ〜１２ａを、変換手段を備えないクライアント端末１０〜１２から受信したときＣＡＤデータを自動的に変換するものであり、変換を依頼する側の端末毎に変換手段を備える必要がなく、ＣＡＤデータ変換のコストを抑えることができる。
また、変換の諸元を定めるＩＮＩファイル２０と変換内容を示す変換依頼ファイル１０ａ〜１２ａとにより変換が行われることから、ほぼ無人で自動的に変換が可能で、ＣＡＤデータのような膨大なデータに係る人手を最小限に抑え、変換の効率化が図られる。
【００２３】
尚、本実施例では、変換依頼ファイル１０ａ〜１２ａで指定されたＩＮＩファイル２０を指定して使用している。しかしながら、変換端末３が、変換依頼ファイルファイル１０ａ〜１２ａや変換元ＣＡＤデータ１５等の内容により、予め用意された複数のＩＮＩファイル２０から、変換に最適なＩＮＩファイル２０を選択するようにしてもよい。最適なＩＮＩファイル２０を用いることで、精度の高い変換が可能となる。
【００２４】
また、変換端末３が変換履歴を示すログファイル２１を作成することで、複数のクライアント端末１０〜１２からの変換依頼の集中管理ができ、エラー情報等の変換ノウハウの蓄積が可能で、またその変換ノウハウをＩＮＩファイル２０に反映させることで、より精度の高い変換が可能となる。
【００２５】
尚、ＣＡＤデータ自動変換システム１では、原則的には、先に変換依頼ファイル１０ａ〜１２ａが送られてきたものから変換を開始していくが、依頼の順番ではなく、変換に必要な時間や難易度等から順序を順次切り替えて変換するようにしてもよい。
【産業上の利用可能性】
【００２６】
以上のように、本発明のＣＡＤデータ自動変換システムは、ほぼ無人で自動的に変換が可能で変換の精度が高いことから、ＣＡＤデータ以外の高度で膨大な規模の変換が要求される他のデータの変換システムにも適用することができる。
【図面の簡単な説明】
【００２７】
【図１】本発明に係るＣＡＤデータ自動変換システムの実施例の構成を示す構成図である。
【図２】同ＣＡＤデータ自動変換システムの動作を示すフローチャートである。
【符号の説明】
【００２８】
１・・・・・・・・・ＣＡＤデータ自動変換システム
３・・・・・・・・・変換端末
５・・・・・・・・・監視端末
１０〜１２・・・・・クライアント端末
１０ａ〜１２ａ・・・変換依頼ファイル
１５・・・・・・・・変換元ＣＡＤデータ
１６・・・・・・・・変換後ＣＡＤデータ
２０・・・・・・・・ＩＮＩファイル
２１・・・・・・・・ログファイル
【図１】
2005316741.tif 000003
【図２】
2005316741.tif 000004